【手続補正書】
【提出日】平成23年10月7日(2011.10.7)
【手続補正１】
【補正対象書類名】特許請求の範囲
【補正対象項目名】全文
【補正方法】変更
【補正の内容】
【特許請求の範囲】
【請求項１】
介入の有効性を決定する治験を容易にする方法であって、該方法は、
グラフィカル・ユーザ・インターフェースをクライアントコンピュータ上に提供することであって、該グラフィカル・ユーザ・インターフェースは、１人以上の患者が、その疾患、症状に関する情報を入力可能である、ことと、
該患者の各々が、疾患を治療するための介入を採用する前に、該コンピュータ上の該グラフィカル・ユーザ・インターフェースを介して、該１人以上の患者から情報を収集することと、
該１人以上音患者によって採用された該介入に関する該グラフィカル・ユーザ・インターフェースから、サーバコンピュータ上で情報を収集することと、
該患者の部分集合が、該疾患を治療するための介入を採用後、該複数の患者から経験した症状に関する情報を該コンピュータ上で収集することと、
該疾患の治療における該介在の有効性を該サーバコンピュータ上で決定することと
を含む、方法。
【請求項２】
前記介入の有効性を１人以上の対照患者からのデータと該サーバコンピュータ上で比較することをさらに含む、請求項１に記載の方法。
【請求項３】
前記介入の有効性を決定することは、事前介入情報を事後介入情報と比較することを含む、請求項１に記載の方法。
【請求項４】
少なくとも１つの現在の介入に関連する副作用を経験する患者のための可能性のある個人介入の識別の方法であって、該方法は、
サーバコンピュータと通信可能に結合されるデータベースを提供することであって、該データベースは該データベース内の各患者の１つ以上の属性を含む、複数の患者のための患者情報を含む、ことと、
グラフィカル・ユーザ・インターフェースをクライアントコンピュータ上に提供することであって、該グラフィカル・ユーザ・インターフェースは、該患者の１つ以上の属性を指定する要求を患者が作成することを可能にし、該要求は、
該患者に現在影響を及ぼしている１つ以上の疾患と、
該患者によって現在採用されている１つ以上の介入と、
該患者によって現在経験されている１つ以上の副作用と
を含む、ことと、
該指定された介入のうちの少なくとも１つを採用したときに、該指定された副作用のうちの少なくとも１つを以前に経験した他の患者の集合について、患者情報の該データベースを検索することと、
該指定された介入のうちの少なくとも１つを採用したときに、該指定された副作用のうちの少なくとも１つを以前に経験した他の患者の集合内の他の患者のそれぞれによって最近採用された代替介入を識別することと、
該１つ以上の指定された介入を採用したときに、該１つ以上の指定された副作用を経験した他の患者の集合によって最近最も一般的に採用された１つ以上の代替介入を返すことと
を含む、方法。
【請求項５】
前記１つ以上の属性は、年齢、人種、民族性、性別、身長、体重、肥満度指数（ＢＭＩ）、体容積指数（ＢＶＩ）、遺伝子型、表現型、疾患、疾患重症度、疾患進行速度、機能的能力の測定値、生活の質、介入、および治療薬から成る群から選択される少なくとも１つを含む、請求項４に記載の方法。
【請求項６】
前記他の患者に関連するデータの多変量パターン合致検索を行なうことをさらに含む、請求項１に記載の方法。
【請求項７】
前記１つ以上の代替介入は、該１つ以上の代替介入を最近採用した他の患者の割合に基づいて順位付けされる、請求項４に記載の方法。
【請求項８】
前記１つ以上の代替介入は、該１つ以上の代替介入を使用する平均継続時間に基づいて順位付けされる、請求項４に記載の方法。
【請求項９】
前記患者情報は、状態モデル内に格納される、請求項４に記載の方法。
【請求項１０】
各介入は前記状態モデル内に異なる状態として格納される、請求項９に記載の方法。
【請求項１１】
前記１つ以上の疾患はうつ病を含む、請求項４に記載の方法。
【請求項１２】
前記１つ以上の介入は抗うつ剤を含む、請求項１１に記載の方法。
【請求項１３】
前記１つ以上の代替介入は、最も一般的に採用されたものから、最も採用されなかったものまで順位付けされる、請求項１１に記載の方法。
【請求項１４】
前記患者のうちの１人以上から、前記介入の有効性を決定する治験を開始する要求を受信し配布することをさらに含む、請求項１に記載の方法。
【手続補正２】
【補正対象書類名】明細書
【補正対象項目名】００３３
【補正方法】変更
【補正の内容】
【００３３】
本発明は、手続き呼出しの際、クライアントプログラムとサーバプログラムとの間でデータを転送するためのデータ構造によってエンコードされ、サーバプログラムは、クライアントプログラムによる起動のための関数を含み、関数は、少なくとも１つのパラメータを含み、データ構造は、個人データを含み、個人データは、複数の患者のための患者プロファイルと、患者のための病状測定値と、複数の患者のための少なくとも１つの医学的転帰とを含む、コンピュータ可読メモリ機器を対象とすることが可能である。個人データは、関数のうちの１つが起動されると、クライアントプログラムからサーバプログラムに転送される少なくとも１つのパラメータに対応する。
例えば、本発明は以下の項目を提供する。
（項目１）
介入の有効性を検討する方法であって、該方法は、
１人以上の患者が、その疾患、症状、および治療薬に関する情報を入力可能なグラフィカル・ユーザ・インターフェースを提供することと、
該患者の各々が、疾患を治療するための治療薬を採用する前に、複数の患者から情報を収集することと、
該治療薬に関する情報を収集することと、
該患者の部分集合が、該疾患を治療するための治療薬を採用後、該複数の患者から情報を収集することと、
該疾患の治療における該治療薬の有効性を決定することと
を含む、方法。
（項目２）
上記治療薬の有効性を１人以上の対照患者からのデータと比較することをさらに含む、項目１に記載の方法。
（項目３）
上記治療薬の有効性を決定することは、上記事前治療薬情報を事後治療薬情報と比較することを含む、項目１に記載の方法。
（項目４）
現在の介入からの転帰に対して、少なくとも１つの合併症または不満を経験する患者のための可能性のある個人介入の識別の方法であって、
データベースを提供することであって、該データベースは該データベース内の各患者の１つ以上の属性を含む、複数の患者のための患者情報を含有する、ことと、
該患者に影響を及ぼす１つ以上の疾患と、
該患者によって採用される１つ以上の介入と、
該患者によって経験される１つ以上の副作用と
を含む、該患者の１つ以上の属性を指定する要求を患者が作成することを可能にするグラフィカル・ユーザ・インターフェース表示を提供することと、
該指定された副作用のうちの少なくとも１つを含む、該指定された１つ以上の属性を有する患者のための患者情報の該データベースを検索することと、
該１つ以上の介入を採用した際、該１つ以上の指定された副作用を経験した他の患者によって採用された１つ以上の代替介入を返すことと
を含む、方法。
（項目５）
上記１つ以上の属性は、年齢、人種、民族性、性別、身長、体重、肥満度指数（ＢＭＩ）、体容積指数（ＢＶＩ）、遺伝子型、表現型、疾患、疾患重症度、疾患進行速度、機能的能力の測定値、生活の質、介入、および治療薬から成る群から選択される少なくとも１つを含む、項目４に記載の方法。
（項目６）
上記疾患は、神経疾患、筋萎縮性側索硬化症（ＡＬＳ）、多発性硬化症（ＭＳ）、パーキンソン病、ヒト免疫不全ウイルス（ＨＩＶ）、後天性免疫不全症候群（ＡＩＤＳ）、うつ病、気分障害、血液癌、線維筋痛、てんかん、心的外傷後ストレス障害、外傷性脳損傷、循環器疾患、骨粗しょう症、慢性閉塞性肺疾患、関節炎、アレルギー、自己免疫疾患、および狼瘡から成る群から選択される少なくとも１つを含む、項目４に記載の方法。
（項目７）
上記代替介入は、上記他の患者によって採用された最も最近の介入である、項目１に記載の方法。
（項目８）
個人医療情報を提供するための方法であって、
データベースを提供することであって、該データベースは該データベース内の各患者の１つ以上の属性を含む、複数の患者のための患者情報を含有する、ことと、
患者の１つ以上の属性を表示するグラフィカル・ユーザ・インターフェースを提供することであって、該グラフィカル・ユーザ・インターフェースによって、該患者は、該属性のうちの少なくとも１つを指定する検索要求を作成することが可能となる、ことと、
該指定された１つ以上の属性を有する患者のための患者情報の該データベースを検索することと、
該指定された１つ以上の属性を有する他の患者集合を識別するデータを該患者に返すことと
を含む、方法。
（項目９）
上記１つ以上の属性は、年齢、人種、民族性、性別、身長、体重、肥満度指数（ＢＭＩ）、体容積指数（ＢＶＩ）、遺伝子型、表現型、疾患、疾患重症度、疾患進行速度、機能的能力の測定値、生活の質、介入、および治療薬から成る群から選択される少なくとも１つを含む、項目８に記載の方法。
（項目１０）
上記データベースは、ある属性と、生活の質、機能的能力、疼痛、および治療強度から成る群から選択される少なくとも１つの二次的属性との間の相関を含む、項目９に記載の方法。
（項目１１）
上記疾患は、神経疾患、筋萎縮性側索硬化症（ＡＬＳ）、多発性硬化症（ＭＳ）、パーキンソン病、ヒト免疫不全ウイルス（ＨＩＶ）、後天性免疫不全症候群（ＡＩＤＳ）、うつ病、気分障害、血液癌、線維筋痛、てんかん、心的外傷後ストレス障害、外傷性脳損傷、循環器疾患、骨粗しょう症、慢性閉塞性肺疾患、関節炎、アレルギー、自己免疫疾患、および狼瘡から成る群から選択される少なくとも１つを含む、項目９に記載の方法。
（項目１２）
上記返されるデータは、上記他の患者集合の１人以上のメンバーのための個別データを含む、項目８に記載の方法。
（項目１３）
上記返されるデータは、上記他の患者集合の１人以上のメンバーのための集約データを含む、項目８に記載の方法。
（項目１４）
個別データを閲覧するための、上記患者からの要求を処理することをさらに含む、項目１３に記載の方法。
（項目１５）
上記他の患者集合の構成を修正するための、上記患者からの要求を処理することをさらに含む、項目１に記載の方法。
（項目１６）
上記他の患者集合の構成は、ファジー論理によって定義される、項目１５に記載の方法。
（項目１７）
上記他の患者集合の構成を修正することは、該集合内の患者の属性の範囲を修正することを含む、項目１５に記載の方法。
（項目１８）
上記他の患者集合の構成を修正することは、該集合を構成する患者の属性の重要性を修正することを含む、項目１５に記載の方法。
（項目１９）
上記他の患者集合の構成は、属性類似性評価指標のグラフ上の最適合致アルゴリズムによって定義される、項目１５に記載の方法。
（項目２０）
上記他の患者集合の構成は、該他の患者集合の属性の類似性のマトリクス上のスカラー・ベクトル分解によって定義される、項目１５に記載の方法。
（項目２１）
上記他の患者に関連するデータの多変量パターン合致検索を行なうことをさらに含む、項目１に記載の方法。
（項目２２）
コンピュータ可読媒体であって、そのコンテンツが、コンピュータに個人医療情報を提供するための方法を行なわせ、該方法は、
データベースを提供することであって、該データベースは該データベース内の各患者の１つ以上の属性を含む、複数の患者のための患者情報を含有する、ことと、
患者の１つ以上の属性を表示するグラフィカル・ユーザ・インターフェースを提供することであって、該グラフィカル・ユーザ・インターフェースによって、該患者は、属性のうちの少なくとも１つを指定する検索要求を作成することが可能となる、ことと、
該指定された１つ以上の属性を有する患者のための患者情報の該データベースを検索することと、
該指定された１つ以上の属性を有する他の患者集合を識別するデータを該患者に返すことと
を含む、コンピュータ可読媒体。